(57)【要約】【課題】光学素子と偏光変換素子を同一の樹脂基板で製造することは、光学的には効率が良いが各々の光学性能を満足させる為の同一材料は数が限られ製造的制約が多くなってしまうという課題があった。【解決手段】  光学素子と偏光変換素子が異なった材質であって（光学的特性が異なる場合も含む）、光学  素子と偏光変換素子の屈折率の差を０．４２以下とし、外部エネルギー硬化型樹脂により接合工程  にて一体化することにより、優れた特性を有し、製造コスト削減を可能とする複合回折格子を提供する。【選択図】図１
2011013449.tif 000002
【特許請求の範囲】
【請求項１】
光学素子と偏光変換素子とを外部エネルギー硬化型樹脂により接合されていて、以下の条件式（１）を満足することを特徴とする複合回折格子。
｜光学素子の屈折率−偏光変換素子の屈折率｜≦０．４２  ・・・・・・（１）
【請求項２】
前記光学素子もしくは前記偏光変換素子の少なくとも１面に表面処理を行うことを特徴とする請求項１に記載の複合回折格子。
【請求項３】
偏光変換素子に外部エネルギー硬化型樹脂により光学素子を形成することを特徴とする複合回折格子。
【請求項４】
請求項３の複合回折格子において、少なくとも１面に表面処理を行うことを特徴とする複合回折格子。
【請求項５】
大判の光学素子と大判の偏光変換素子とを光学的方向性を合わせ接合し裁断した請求項１又は２記載の複合回折格子。
【請求項６】
前記外部エネルギー硬化型樹脂の屈折率は、以下の条件式（２）及び（３）を同時に満足することを特徴とする請求項１乃至４のいずれか１項記載の複合回折格子。
│外部エネルギー硬化型樹脂の屈折率−光学素子の屈折率│
≦│光学素子の屈折率−偏光変換素子の屈折率│・・・・(２）
│外部エネルギー硬化型樹脂の屈折率−偏光変換素子の屈折率│
≦│光学素子の屈折率−偏光変換素子の屈折率│・・・・(３）
【請求項７】
前記光学素子と前記偏光変換素子とが直接的・間接的に一体化をなしていることを特徴とする請求項１乃至４のいずれか１項記載の複合回折格子。
【発明の詳細な説明】
【技術分野】
【０００１】
本発明は、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）等の異なる種類の光記録媒体（光ディスク）から光学的に情報を再生したり、情報を記録したりする光ピックアップ装置に組み込まれる、回折格子等の回折機能を備えた光学素子と偏光板などの偏光変換素子を一体化した複合回折格子に関するものである。
【背景技術】
【０００２】
従来から、特許文献１に示すように、同一の樹脂基板で一体的に成形する事は公知である。
【０００３】
また、特許文献２に示すように光ピックアップなどに用いられる高分子材料からなるフィルム状の偏光変換素子は公知である。
【先行技術文献】
【特許文献】
【０００４】
【特許文献１】特開２００９−６９４９０号公報
【特許文献２】特開２００１−２１５４６２号公報
【発明の概要】
【発明が解決しようとする課題】
【０００５】
近年、はんだリフロー槽対応のエポキシ系もしくはシリコン系樹脂も数多く市場での入手が可能となり、高エネルギーを出力する近紫外線を使用する光ピックアップにおいても、耐熱性・耐光性に十分問題なく使用することが可能である。
【０００６】
また、エポキシ系もしくはシリコン系樹脂は屈折率の調整がある程度可能であり、光学素子と偏光変換素子との屈折率の差が有っても樹脂の屈折率を調整する事で光学的損失がなく使用することが出来る。
【０００７】
特許文献１に示すように光学素子と偏光変換素子を同一の樹脂基板で製造することは、光学的には効率が良いが各々の光学性能を満足させる為の同一材料は数が限られ製造的制約が多くなってしまう恐れがあり、これまで商用化されることはなかった。本発明はフリントガラスの様な高い屈折率（ｎｄ：１．９以上）の材料とアクリル樹脂の様な低い屈折率（ｎｄ：１．４９）の材料を使用しても外部エネルギー硬化型樹脂の屈折率を調整する事で複合回折格子としての特性を満足する事を見出した。
【０００８】
そこで、本発明の目的は大判の各素子を樹脂で接合し所要の大きさに裁断する事で各々の光学特性ズレを最小限にし、複合化による性能向上と製造コスト削減を可能とする複合回折格子を提供する事である。
【課題を解決するための手段】
【０００９】
本発明は、上述した事情に鑑みてなされたものであって、光学素子と偏光変換素子が異なった材質（光学的特性が異る場合も）であって、接合工程にて一体化された複合回折格子を提供するものである。なお、光学素子とは回折格子・ホログラム・ブレーズド等の回折現象を起こす素子であり、偏光変換素子とは偏光方向を変えたり、光路差を与える素子である。
【００１０】
本発明の複合回折格子は、光学素子と偏光変換素子とを外部エネルギー硬化型樹脂により接合されており、光学素子の屈折率と偏光変換素子の屈折率との差が０．４２以下であることを特徴とする。
【００１１】
本発明の複合回折格子は、光学素子もしくは偏光変換素子の少なくとも１面に表面処理を行うことを特徴とする。
【００１２】
本発明の複合回折格子は、偏光変換素子に外部エネルギー硬化型樹脂により光学素子を形成する事を特徴とする。
【００１３】
本発明の複合回折格子は、少なくとも１面に表面処理を行う事を特徴とする。
【００１４】
本発明の複合回折格子は、大判の光学素子と大判の偏光変換素子とを光学的方向性を合わせ接合し裁断した事を特徴とする。
【００１５】
本発明の複合回折格子において、外部エネルギー硬化型樹脂の屈折率は、以下の条件式（２）と（３）を同時に満足することを特徴とする。
│外部エネルギー硬化型樹脂の屈折率−光学素子の屈折率│
≦│光学素子の屈折率−偏光変換素子の屈折率│・・・・・（２）
│外部エネルギー硬化型樹脂の屈折率−偏光変換素子の屈折率│
≦│光学素子の屈折率−偏光変換素子の屈折率│・・・・・（３）
【００１６】
本発明の複合回折格子は、光学素子と偏光変換素子とが直接的・間接的に一体化をなしていることを特徴とする。
【発明の効果】
【００１７】
本発明によれば、光ディスクからの戻り光が光源から出射されるレーザ光との干渉を防ぐ事が出来、各素子が材質の制約を受ける事なく安価に高精度複合回折格子の製造が可能となる。
【図面の簡単な説明】
【００１８】
【図１】本発明の実施例１である。
【図２】本発明の実施例３である。
【発明を実施するための形態】
【００１９】
本発明の実施の形態を、図面を参照して説明する。
【００２０】
図１は、ガラス製回折格子と樹脂製偏光変換素子とをシリコン製熱硬化樹脂にて接着した際の図面である。
【００２１】
図２は、樹脂製偏光変換素子にシリコン製熱硬化樹脂により直接回折格子パターンを製作した際の図面である。
【００２２】
本発明においては、光学素子と偏光変換素子とを樹脂により接合し製造する。
【００２３】
本発明品の好ましい形態は、大判の光学素子と大判の偏光変換素子とを接合し所定の大きさに裁断する事で複合回折格子として機能させる。
【実施例１】
【００２４】
片面をガラスエッチングよって形成された１００ｍｍ角のガラス製回折格子（ｎｄ：１．５１５）に回折格子面側に反射防止の処理、平面側（未処理側）にプライマー処理を行った光学素子と１００ｍｍ角の樹脂製偏光板（ｎｄ：１．５２３）に片側に反射防止の処理、もう一面にプライマー処理を行った偏光変換素子とを各素子の光学特性方向を合わせｎｄ：１．５１８のシリコン系熱硬化樹脂によりプライマー処理面同士を接合固定しその後、所定の大きさに裁断し製品とする。
【実施例２】
【００２５】
射出成形等で製造された樹脂製光学素子（ｎｄ：１．５０９）に樹脂製偏光板（ｎｄ：１．５２３）の光学特性方向を合わせｎｄ：１．５１８のシリコン系熱硬化樹脂により接合固定し製品とする。
【実施例３】
【００２６】
樹脂製偏光板（ｎｄ：１．５２３）にシリコン系熱硬化樹脂（ｎｄ：１．５２３）により直接光学素子を形成する。
【００２７】
光学素子、偏光変換素子、外部エネルギー硬化型樹脂の各組み合わせでの実験結果を表１に示す。光学素子と偏光変換素子との屈折率差が０．４１２になると光学性能は劣化してしまうが、表面処理を行う事で劣化を対策することが出来る。このことから屈折率差が０．４２以内であれば表面処理を行う事で光学性能は満足できる。ここで言う光学性能とは干渉計で測定した透過波面収差がλ／４以下である事を言う。光学性能の○は透過波面収差がλ／４以下、△は透過波面収差がλ／２〜λ／４、×は透過波面収差がλ／４以上であることを示す。
【００２８】
【表１】
2011013449.tif 000003
【符号の説明】
【００２９】
１０  ガラス製回折格子
１１  樹脂製偏光板
１２  シリコン系熱硬化樹脂
２０  シリコン系熱硬化樹脂製回折格子
２１  樹脂製偏光板
【図１】
2011013449.tif 000004
【図２】
2011013449.tif 000005